(57)【要約】【課題】  カメラ等の電子機器における電池や記録媒体の着脱を簡便にする。【解決手段】  カートリッジ３０は保持板３１及び係止板３２を有する。保持板３１の長手方向と平行な一対の側面の略中央及び係止板３２の近傍に爪部３４とそれに対応するもう一方の爪部を設ける。電池４０、４１を平面部３１Ａの突条部と上述の爪部で挟持し、ＳＤカード５０を爪部で挟持する。爪部には可撓性を有する部材を用いる。電池４０、４１及びＳＤカード５０の着脱時、爪部を適宜撓ませる。電池４０、４１及びＳＤカード５０を取り付けた状態でカートリッジ３０を開口部１１から挿入し、本体１０へ取り付ける。底面１０Ｂに係止レバーを配設する。係止レバーが嵌合可能な溝を係止板３２に形成する。係止板３２の溝と係止レバーを嵌合させることによりカートリッジ３０を本体１０に固定する。【選択図】        図１
2006165983.tif 000002
【特許請求の範囲】
【請求項１】
所定位置に開口部が形成された筐体を有し、
複数の部品を保持可能な保持板と前記筐体に係止される係止板とを具備するカートリッジが、前記開口部を介して挿脱可能であることを特徴とする電子機器。
【請求項２】
前記カートリッジを前記筐体内で固定するためのロック機構と、
前記カートリッジの装着を検知する検知手段とを備えることを特徴とする請求項１に記載の電子機器。
【請求項３】
前記ロック機構は、
前記筐体において前記開口部が形成された側面に沿って移動可能に設けられ、前記カートリッジの所定位置に形成された凹部に嵌合可能な係止部材と、
前記カートリッジが取り付けられた状態において前記係止部材を前記凹部に嵌合する方向へ付勢する付勢手段とを有することを特徴とする請求項２に記載の電子機器。
【請求項４】
前記複数の部品には、電子機器により生成されるデータを記録するための外部記録媒体が含まれ、
前記検知手段により前記カートリッジの離脱が検知されたら、前記外部記録媒体へのデータの書込みを停止する制御手段を備えることを特徴とする請求項２に記載の電子機器。
【請求項５】
前記カートリッジの前記保持板は前記筐体に対する挿脱方向と平行に延び、前記係止板は前記挿脱方向に垂直に延びるよう、形成されることを特徴とする請求項１に記載の電子機器。
【請求項６】
前記複数の部品には、電源を供給するための電池と、電子機器で生成されるデータを記録するための外部記録媒体とが含まれ、
前記カートリッジの前記保持板は、前記電池が着脱自在に取り付けられる第１の平面部と、前記外部記録媒体が着脱自在に取り付けられる第２の平面部とを有することを特徴とする請求項１に記載の電子機器。
【請求項７】
前記第１の平面部と前記第２の平面部は、前記保持板において表裏関係にあることを特徴とする請求項６に記載の電子機器。
【請求項８】
前記第２の平面部は、前記外部記録媒体の取り付けの向きを常に同一方向に定める位置決め機構を有することを特徴とする請求項６に記載の電子機器。
【発明の詳細な説明】
【技術分野】
【０００１】
本発明は、バッテリや記憶媒体を電子機器に装着する機構に関する。
【背景技術】
【０００２】
従来、デジタルカメラ等の電子機器にはバッテリ（電池）やメモリカードが搭載される。バッテリは、蓄積電荷の残量が低下したら、電子機器本体から取り外してチャージングするか、新たなバッテリと交換しなければならない。メモリカードは、記録されたデータを他の機器で処理する場合、電子機器本体から取り外さなければならない。また、記録可能領域の容量が残り少なくなったら、新たなメモリカードと交換しなければならい。そこで、これらの部品は電子機器本体に対して着脱自在に構成される。
【特許文献１】特開２００３−１７８７２９号公報
【発明の開示】
【発明が解決しようとする課題】
【０００３】
ところが、バッテリやメモリカードは外形や大きさが異なるため、電子機器の本体に対する取付け及び取り外しの機構が異なる。従って、これらの各搭載部品の着脱が煩わしいという問題があった。
【０００４】
本発明は、以上の問題を解決するものであり、バッテリやメモリカード等の電子機器に対する着脱を容易にすることを目的とする。
【課題を解決するための手段】
【０００５】
本発明に係る電子機器は、所定位置に開口部が形成された筐体を有し、複数の部品を保持可能な保持板と筐体に係止される係止板とを具備するカートリッジが、開口部を介して挿脱可能であることを特徴とする。
【０００６】
好ましくは、カートリッジを筐体内で固定するためのロック機構と、カートリッジの装着を検知する検知手段とを備える。
【０００７】
より好ましくは、ロック機構は、筐体において上述の開口部が形成された側面に沿って移動可能に設けられ、カートリッジの所定位置に形成された凹部に嵌合可能な係止部材と、カートリッジが取り付けられた状態において係止部材を凹部に嵌合する方向へ付勢する付勢手段とを有する。
【０００８】
好ましくは、カートリッジの保持板は電子機器の筐体に対する挿脱方向と平行に延び、係止板はこの挿脱方向に垂直に延びるよう形成される。
【０００９】
上述のカートリッジに搭載される複数の部品には、例えば、電子機器により生成されるデータを記録するための外部記録媒体が含まれ、検知手段によりカートリッジの離脱が検知されたら、外部記録媒体へのデータの書込みを停止する制御手段を備えるよう構成すると好ましい。
【００１０】
上述の複数の部品には、外部記録媒体の他に、例えば電源を供給するための電池が含まれ、カートリッジの保持板は、電池が着脱自在に取り付けられる第１の平面部と、外部記録媒体が着脱自在に取り付けられる第２の平面部とを有する構成としてもよい。
【００１１】
また、カートリッジにおいて、第１の平面部と第２の平面部は、保持板において表裏関係にあってもよい。
【００１２】
好ましくは、カートリッジにおいて、第２の平面部は、外部記録媒体の取り付けの向きを常に同一方向に定める位置決め機構を有する。
【発明の効果】
【００１３】
以上のように、本発明に係る電子機器は、複数の部品が保持可能なカートリッジを筐体に形成された開口部から挿脱させることができる。すなわち、電子機器に対する複数の部品の取り付け・取り外しを、カートリッジの着脱により行うことができる。これにより、形状や大きさの異なる複数の部品をそれぞれ電子機器に着脱しなければならないという煩わしさが解消される。従って、操作に不慣れな使用者でもこれら複数の部品の搭載、交換等を容易に行うことができる。
【発明を実施するための最良の形態】
【００１４】
図１及び図２は、本発明に係る実施形態が適用されるカメラと同カメラに着脱可能なカートリッジとを概略的に示す図である。図１はカメラを前面から示し、図２はカメラを背面から示す。カメラ１の本体１０の前面にレンズ鏡筒２０が設けられる。本体１０の底面１０Ｂの所定の位置に矩形の開口部１１が形成される。開口部１１はその周囲を、矩形の枠状の凹部１２に囲まれている。カートリッジ３０のカメラ１に対する挿脱は開口部１１を介して行われる。
【００１５】
カートリッジ３０は保持板３１及び係止板３２を有する。保持板３１は全体として略薄板状を呈する。保持板３１において平面部３１Ａ、３１Ｂは互いに表裏関係にある。平面部３１Ａには２本の電池４０、４１が取り付け可能であり、平面部３１ＢにはＳＤカード５０が取り付け可能である。
【００１６】
係止板３２も保持板３１と同様、全体として略薄板状を呈し、保持板３１の一方の端部に固定される。係止板３２は上述の凹部１２の外形と同一寸法、同一形状を有する。カートリッジ３０の本体１０への装着時、保持板３１を本体１０内へ挿入していくと係止板３２が凹部１２に当接し、カートリッジ３０は位置決めされる。換言すると、凹部１２は、カートリッジ３０が本体３０の内部に入り込みすぎないようストッパーの機能を有する。凹部１２は、底面１０Ｂの他の領域との段差が係止板３２の厚さと略等しくなるよう、形成されている。従って、係止板３２が凹部１２に当接した状態で、係止板３２は底面１０Ｂと略同一平面を形成する。
【００１７】
図１及び図２に示されるように、カートリッジ３０は係止板３２と直交する方向、すなわち保持板３１と平行な方向に沿って、カメラ１の本体１０へ挿入され、若しくは本体１０から引き抜かれる。
【００１８】
保持板３１の長手方向と平行な一対の側面の略中央及び係止板３２の近傍には、平面部３１Ａ、３１Ｂと直交する方向に延びる爪部３４、３５が設けられる。爪部３４、３５には可撓性を有する部材が用いられる。
【００１９】
図３は電池４０、４１及びＳＤカード５０が取り付けられた状態のカートリッジ３０の平面図であり、図４は同カートリッジ３０を平面部３１Ａ側から示す図である。平面部３１Ａの略中央にはカートリッジ３０の長手方向に沿って伸びる突条部３６が形成されている。突条部３６の外周面は電池４０、４１の外周面の一部に嵌合するよう湾曲している。２本の電池４０、４１は、突条部３６及び爪部３４、３５に挟持され、カートリッジ３０に保持される。また、図４に示すように、２本の電池４０、４１は＋極と−極が反対になるようカートリッジ３０に取り付けられる。係止板３２にはカートリッジ端子３３が設けられている。電池４０の−極および電池４１の＋極がカートリッジ端子３３に当接するよう、電池４０、４１は取り付けられる。
【００２０】
図５は、ＳＤカード５０を接続端子５１が形成された側から示す図であり、図６はカートリッジ３０を平面部３１Ｂ側から示す図である。ＳＤカード５０は全体として略矩形を呈し、接続端子５１が設けられた辺部近傍の一方の角部が斜め方向に削り取られた形状を呈する。カートリッジ３０の平面部３１Ｂのカード保持領域３７は、所定の厚みだけ平面部３１Ｂの他の領域より低く形成される（図２参照）。カード保持領域３７の係止板３２と反対側の周縁部３７Ａは、ＳＤカード５０の接続端子５１が設けられた辺部近傍の外形形状と同一の形状を呈するよう形成される。ＳＤカード５０は、カード保持領域３７に嵌合した状態で爪部３４、３５に挟持されることによりカートリッジ３０に保持される。平面部３１Ｂをこのように形成することにより、ＳＤカード５０の向きを取り違えて、例えば接続端子５１が係止板３２に近接する向きでカートリッジ３０へ取り付けてしまうことが防止される。
【００２１】
尚、上述のように爪部３４、３５は可撓性を有している。従って、電池４０、４１及びＳＤカード５０のカートリッジ３０への取り付け、取り外しは、爪部３４、３５を適宜撓ませながら行われる。
【００２２】
図７は、カートリッジ３０を本体１０に装着した状態を示す一部断面図である。本体１０のカートリッジ収容室１３において、本体１０の上面側の内壁面には、電池４０の＋極と当接するカメラ端子１４、電池４１の−極と当接するカメラ端子１５が配設される。カメラ端子１４の近傍には、カートリッジ３０が本体１０内に取り付けられたことを検知するための検出スイッチ１６が配設される。また、カートリッジ収容室１３内には、ＳＤカード５０の端子５１と接続されるカメラ端子（図示せず）が設けられている。
【００２３】
カートリッジ３０がカートリッジ収容室１３内に挿入され、電池４０の＋極及び電池４１の−極がそれぞれカメラ端子１４、１５に当接する位置に位置決めされると、保持板３１の端部が検出スイッチ１６を押圧するよう、検出スイッチ１６は配置される。保持板３１により押されると検出スイッチ１６はオンとなる。カートリッジ３０が取り外された場合や、一部がカートリッジ収容室１３内に挿入されていても、電池４０、４１とカメラ端子１４、１５とがそれぞれ接触していない場合のように、保持板３１により押されていないとき、検出スイッチ１６はオフとなる。
【００２４】
本体１０の底面１０Ｂにおいて、開口部１１の近傍にはロック機構１７が設けられる。図８は、図７中の係止板３２とロック機構１７を拡大して示す図である。スロット６０は、開口部１１を規定する内壁面のうち本体１０の中央側の内壁面１０Ｃの所定位置で開口し、底面１０Ｂに沿って延びるよう形成される。スロット６０内には矩形の係止レバー６１が配設される。係止レバー６１はスロット６０内において本体１０の横方向に沿って摺動自在である。係止レバー６１には凸片６２が設けられている。底面１０Ｂには、スロット６０が形成された位置に、矩形の穴６３が設けられており、係止レバー６１の凸片６２はこの穴６３から露出している。係止レバー６１の移動に応じて凸片６２は穴６３内を移動する。換言すると、係止レバー６１の移動範囲は、本体１０の横方向に沿った穴６３の寸法により規制される。
【００２５】
スロット６０内において、係止レバー６１とスロット６０の底面との間にはコイルスプリング６４が配設される。コイルスプリング６４は、係止レバー６１を内壁面１０Ｃの開口部分からスロット６０の外方へ押し出す方向へ常時付勢している。従って、係止レバー６１に外力が加えられていない状態においては、係止レバー６１は、コイルスプリング６４の付勢力により図８中、左方向へ変位させられ、凸片６２が穴６３の周縁部に押し当てられる位置に位置づけられる。この状態で、係止レバー６１の端部が内壁面１０Ｃの開口から露出する。
【００２６】
カートリッジ３０を本体１０に取り付けた状態において、内壁面１０Ｃに当接する係止板３２の側辺部には、スロット６０に対応する位置に係止レバー６１の端部が嵌合可能な溝３８が形成される。
【００２７】
カートリッジ３０を本体１０に挿入する時、コイルスプリング６４の付勢力に抗して凸片６２に外力を加え、図８中の右方向へ移動させる（図９参照）。これにより係止レバー６１はスロット６０内に収容され、カートリッジ３０の係止板３２が凹部１１（図１、２参照）に嵌合可能となる。係止板３２が凹部１１に嵌合した状態で凸片６２を外力から解放すると、係止レバー６１は図８の位置に復帰し、その端部が係止板３２の溝３８に嵌合する。これによりカートリッジ３０は本体１０に固定される。
【００２８】
カートリッジ３０を本体１０から取り外す時も、同様に、コイルスプリング６４の付勢力に抗して凸片６２に外力を加え、図９に示されるように本体１０の中央よりへ移動させる。これにより、係止板３２と係止レバー６１の嵌合状態が解放され、カートリッジ３０は本体１０から抜取ることが可能となる。
【００２９】
図１０は、カメラ１のブロック図である。ＣＰＵ１００はカメラ１全体を制御する例えばマイクロコンピュータである。電池４０、４１は電源回路１０１を介してＣＰＵ１００に接続されている。ＳＤカード５０はカードインタフェース１０２を介してＣＰＵ１００に接続されている。ＳＤカード５０への各種データの書き込み、ＳＤカード５０からの各種データの読み出しは、カードインタフェース１０２を介して行われる。撮像部１０３はレンズ鏡筒２０（図１参照）に配設される撮影光学系、ＣＣＤ等を有する。ＣＰＵ１００から撮像部１０３へ制御信号が出力され、被写体像を取得するための処理が行われる。
【００３０】
ＣＰＵ１００はカードインタフェース１０２からの信号の入力を所定の時間間隔でチェックする。カードインタフェース１０２から信号の入力が確認される場合とは、ＳＤカード５０とＣＰＵ１００との間で、各種データの書込み若しくは読出しが実行されている場合である。この状態で、検出スイッチ１６の状態がチェックされる。
【００３１】
検出スイッチ１６がオンの場合、上述のようにカートリッジ３０は本体１０に装着された状態にあり、ＳＤカード５０の接続端子５１が本体１０の接続端子と接続されている状態である。従って、各種データの書込み・読出し処理は継続して実行される。一方、検出スイッチ１６がオフの場合、カートリッジ３０が本体１０から取り外されたか、あるいは図７に示すようには固定されていない状態である。この状態でデータの書込み・読出し処理が継続されると、ＳＤカード５０に記録されたデータを破壊する虞がある。そこで、検出スイッチ１６がオフであることが確認されたら、ＣＰＵ１００からカードインタフェース１０２へ各種データの書込み・読出し処理を強制的に停止する指令信号が出力される。
【００３２】
以上のように本実施形態によれば、カメラ１に電池４０、４１及びＳＤカード５０を搭載するためには、これらの部品が取り付けられたカートリッジ３０をカメラ１の本体１０に挿入し、ロック機構１７で固定するだけでよい。また、これらの部品をカメラ１から取り外すには、ロック機構１７のロックを解除し、カートリッジ３０を抜取ればよい。従って、複数の部品の着脱を極めて簡便に行うことができる。
【００３３】
カートリッジ３０の着脱はカメラ１の検出スイッチ１６により検出される。そして、検出スイッチ１６によりカートリッジ３０の離脱が確認されたら、ＳＤカード５０に対する処理（データの書込み・読出し）は強制的に終了される。従って、意図せずしてカートリッジ３０が抜取られても、ＳＤカード５０のデータ破壊が防止される。
【図面の簡単な説明】
【００３４】
【図１】本発明に係る実施形態が適用されるカメラとカートリッジをカメラの前面から概略的に示す図である。
【図２】図１のカメラとカートリッジをカメラの背面から概略的に示す図である。
【図３】電池及びＳＤカードが取り付けられた状態のカートリッジの平面図である。
【図４】図３のカートリッジを電池が取り付けられる平面側から示す図である。
【図５】ＳＤカードの正面図である。
【図６】カートリッジをＳＤカードが取り付けられる平面側から示す図である。
【図７】カートリッジをカメラの本体に装着した状態を示す一部断面図である。
【図８】カートリッジの係止板のロック機構を拡大して示す図でり、係止板がロックされた状態を示す。
【図９】カートリッジの係止板のロック機構を拡大して示す図でり、係止板のロックが解放された状態を示す。
【図１０】カメラのブロック図である。
【符号の説明】
【００３５】
１０  本体
１６  検出スイッチ
１７  ロック機構
２０  レンズ鏡筒
３０  カートリッジ
３１  保持板
３２  係止板
４０、４１  電池
５０  ＳＤカード
【図１】
2006165983.tif 000003
【図２】
2006165983.tif 000004
【図３】
2006165983.tif 000005
【図４】
2006165983.tif 000006
【図５】
2006165983.tif 000007
【図６】
2006165983.tif 000008
【図７】
2006165983.tif 000009
【図８】
2006165983.tif 000010
【図９】
2006165983.tif 000011
【図１０】
2006165983.tif 000012